【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
コンピュータ実施方法であって、
ユーザによってダウンロードされたリソースに関するダウンロードサイズ情報の履歴を記憶するステップであって、前記ダウンロードサイズ情報は、各リソースに関する前記リソースのダウンロードのサイズを含む、ステップと、
クライアントデバイスからクエリを受信するステップと、
前記クエリに応答して、1つまたは複数のプロセッサを使用して、1つまたは複数のリソースに関する検索結果を識別するステップと、
前記検索結果の少なくとも1つのリソースに関して、前記1つまたは複数のプロセッサを使用して、前記1つのリソースにアクセスするために必要とされるデータ転送のサイズを判断するステップであって、前記データ転送の前記サイズは、ダウンロードされたサイズ情報の前記履歴から、別のユーザによって前記1つのリソースの最近のダウンロードの記憶されたサイズを識別することに基づく、ステップと、
前記最近のダウンロードの前記サイズを示す前記1つのリソースに関連するラベルを提供するステップを含めて、前記検索結果を前記クライアントデバイスに提供するステップと
を含むコンピュータ実施方法。
【請求項２】
前記ラベルが、ダウンロードされたサイズ情報の前記記憶された履歴からの前記1つのリソースに関連する履歴データに少なくとも一部基づく前記サイズの推定を含む、請求項1に記載の方法。
【請求項３】
前記ラベルが、前記クエリに応答して、前記1つのリソースに関連するデータの送信に先立つプロキシによる前記1つのリソースの取出しに少なくとも一部基づく推定サイズを含む、請求項1に記載の方法。
【請求項４】
前記ラベルが、サイズ推定と、前記転送の相対的なサイズの記述子とを含む、請求項1に記載の方法。
【請求項５】
前記記述子が、前記推定されたサイズに関連する、小から大に及ぶスライダーを含む、請求項4に記載の方法。
【請求項６】
前記記述子が、前記サイズ推定に基づいて帰属可能なある範囲の可能な範疇内の特定の範疇を反映する、請求項4に記載の方法。
【請求項７】
前記特定の範疇は、小型サイズ、中型サイズ、または大型サイズのデータを含むグループから選択されたサイズである、請求項6に記載の方法。
【請求項８】
前記記述子は、リソースの範疇の記述を含む、請求項4に記載の方法。
【請求項９】
リソースの前記範疇は、ビデオ、画像、音声、フラッシュコンテンツ、埋込みアプリケーションを含むアプリケーション、リッチコンテンツ、フォント、またはスクリプトを含むグループから選択された範疇である、請求項8に記載の方法。
【請求項１０】
前記検索結果を前記クライアントデバイスに提供するステップは、前記検索結果とラベルとをモバイルデバイスに提供するステップを含む、請求項1に記載の方法。
【請求項１１】
前記検索結果を前記クライアントデバイスに提供するステップは、前記検索結果と前記ラベルとをタブレットコンピューティングデバイスに提供するステップを含む、請求項1に記載の方法。
【請求項１２】
前記ラベルは、前記検索結果が提供されたときに可視である、請求項1に記載の方法。
【請求項１３】
前記ラベルは、前記1つのリソースに関するホバリング制御のユーザ選択時に可視である、請求項1に記載の方法。
【請求項１４】
前記ラベルは、前記1つのリソースに関連するリンクのユーザ選択時に可視であり、前記ラベルは前記リンクに関連するリンクリソースのサイズを示す、請求項1に記載の方法。
【請求項１５】
前記クエリは音声要求である、請求項1に記載の方法。
【請求項１６】
コンピュータ実施方法であって、
ユーザによってダウンロードされたリソースに関するダウンロードサイズ情報の履歴を記憶するステップであって、前記ダウンロードサイズ情報は、各リソースに関する前記リソースのダウンロードのサイズを含む、ステップと、
ブラウザを介して、リソースをロードするための要求を受信するステップと、
前記リソースをロードするのに先立って、1つまたは複数のプロセッサを使用して、前記リソースをロードするためのデータ転送のサイズを判断するステップであって、前記データ転送の前記サイズは、ダウンロードされたサイズ情報の前記履歴から、別のユーザによって前記リソースの最近のダウンロードの記憶されたサイズを識別することに基づく、ステップと、
前記リソースをロードするのに先立って、ラベルを含む、前記最近のダウンロードの前記サイズに関する情報をユーザに提示するステップと
を含むコンピュータ実施方法。
【請求項１７】
前記ラベルが、ダウンロードされたサイズ情報の前記記憶された履歴からの前記リソースに関連する履歴データに少なくとも一部基づく前記サイズの推定を含む、請求項16に記載の方法。
【請求項１８】
前記ラベルが、前記リソースの前のロードに少なくとも一部基づく前記サイズの推定を含む、請求項16に記載の方法。
【請求項１９】
前記ラベルが、前記要求に応答して、前記リソースに関連するデータの送信に先立つプロキシによる前記リソースの取出しに少なくとも一部基づく推定サイズを含む、請求項16に記載の方法。
【請求項２０】
前記ラベルが、サイズ推定と、前記転送の相対的なサイズの記述子とを含む、請求項16に記載の方法。
【請求項２１】
前記記述子が、前記推定されたサイズに関連する、小から大に及ぶスライダーを含む、請求項20に記載の方法。
【請求項２２】
前記記述子が、前記サイズ推定に基づいて帰属可能なある範囲の可能な範疇内の特定の範疇を反映する、請求項20に記載の方法。
【請求項２３】
前記特定の範疇は、小型サイズ、中型サイズ、または大型サイズのデータを含むグループから選択されたサイズである、請求項22に記載の方法。
【請求項２４】
前記記述子は、リソースの範疇の記述を含む、請求項20に記載の方法。
【請求項２５】
リソースの前記範疇は、ビデオ、画像、音声、フラッシュコンテンツ、埋込みアプリケーションを含むアプリケーション、リッチコンテンツ、フォント、またはスクリプトを含むグループから選択された範疇である、請求項24に記載の方法。
【請求項２６】
検索結果をクライアントデバイスに提供するステップは、前記検索結果とラベルとをモバイルデバイスに提供するステップを含む、請求項16に記載の方法。
【請求項２７】
検索結果をクライアントデバイスに提供するステップは、前記検索結果と前記ラベルとをタブレットコンピューティングデバイスに提供するステップを含む、請求項16に記載の方法。
【請求項２８】
前記要求は音声要求である、請求項16に記載の方法。
【請求項２９】
コンピュータ実施方法であって、
ユーザによってダウンロードされたリソースに関するダウンロードサイズ情報の履歴を記憶するステップであって、前記ダウンロードサイズ情報は、各リソースに関する前記リソースのダウンロードのサイズを含む、ステップと、
プロキシにおいて、クライアントデバイスからリソースの要求を受信するステップと、
1つまたは複数のプロセッサを使用して、前記要求を完了するために必要とされるデータ転送のサイズを判断するステップであって、前記データ転送の前記サイズは、ダウンロードされたサイズ情報の前記履歴から、別のユーザによって前記リソースの最近のダウンロードの記憶されたサイズを識別することに基づく、ステップと、
前記要求に関連するデータの転送から生じるデータ料金を前記クライアントデバイスに被らせるのに先立って、前記要求を完了するために必要とされるデータ転送のサイズの推定を前記クライアントデバイスに提供するステップであって、前記推定は、前記最近のダウンロードの前記記憶されたサイズに基づく、ステップと
を含むコンピュータ実施方法。
【請求項３０】
前記推定を提供するステップは、ダウンロードされたサイズ情報の前記記憶された履歴からの履歴データに少なくとも一部基づいてサイズを判断するステップを含む、請求項29に記載の方法。
【請求項３１】
前記推定を提供するステップは、前記プロキシが前記リソースのロードを要求するとき、前記リソースから受信されるデータに少なくとも一部基づいてサイズを判断するステップを含む、請求項29に記載の方法。
【請求項３２】
前記推定を提供するステップは、前記リソースに関連するデータを前記クライアントデバイスに配信するのに先立って発生する、請求項31に記載の方法。
【請求項３３】
前記要求を前記プロキシから前記リソースに手渡すステップと、
前記要求に応答して、前記リソースからデータを受信するステップと、
前記受信したデータ内で参照された1つまたは複数のリソースに関連するサイズを判断するステップと、
前記受信したデータとともに、前記1つまたは複数の参照されたリソースに関連するサイズデータを前記クライアントデバイスに提供するステップと
をさらに含む、請求項29に記載の方法。
【請求項３４】
前記要求を前記プロキシから前記リソースに手渡すステップと、
前記要求に応答して、前記リソースからデータを受信するステップと、
前記受信したデータに基づいて、前記リソースからの前記データ転送のサイズを判断するステップと
をさらに含む、請求項29に記載の方法。